(57)【特許請求の範囲】
【請求項１】
第一極性に帯電した黒色粒子と、白色粒子と、透明粒子と、が溶媒に分散された電気泳動材料であって、
前記白色粒子の総表面積と前記透明粒子の総表面積との和に対する前記白色粒子の総表面積の割合が１０％以上５６％以下である事を特徴とする電気泳動材料。
【請求項２】
前記透明粒子の粒径は５０ｎｍ以上１μｍ以下の範囲にある事を特徴とする請求項１に記載の電気泳動材料。
【請求項３】
前記透明粒子の密度は２．５ｇ／ｃｍ3以下である事を特徴とする請求項１または２に記載の電気泳動材料。
【請求項４】
前記透明粒子は樹脂である事を特徴とする請求項１乃至３のいずれか一項に記載の電気泳動材料。
【請求項５】
前記黒色粒子の電気泳動移動度は、前記白色粒子の電気泳動移動度よりも大きく、前記透明粒子の電気泳動移動度よりも大きい事を特徴とする請求項１乃至４のいずれか一項に記載の電気泳動材料。
【請求項６】
前記白色粒子は前記第一極性とは異なる極性に帯電している事を特徴とする請求項１乃至５のいずれか一項に記載の電気泳動材料。
【請求項７】
前記白色粒子の電気泳動移動度は、前記透明粒子の電気泳動移動度よりも大きい事を特徴とする請求項６に記載の電気泳動材料。
【請求項８】
前記白色粒子は電気的に中性である事を特徴とする請求項１乃至５のいずれか一項に記載の電気泳動材料。
【請求項９】
前記透明粒子は電気的に中性である事を特徴とする請求項１乃至８のいずれか一項に記載の電気泳動材料。
【請求項１０】
前記透明粒子は前記第一極性とは異なる極性に帯電している事を特徴とする請求項１乃至８のいずれか一項に記載の電気泳動材料。
【請求項１１】
請求項１乃至１０のいずれか一項に記載の電気泳動材料を備えた事を特徴とする電気泳動表示装置。
【請求項１２】
請求項１１に記載の電気泳動表示装置を備えた事を特徴とする電子機器。
【発明の詳細な説明】
【技術分野】
【０００１】
本発明は、電気泳動材料と電気泳動表示装置、及び電子機器の技術分野に関する。
【背景技術】
【０００２】
電気泳動表示装置では、電気泳動材料を挟んで対向する画素電極と共通電極と間に電圧を印加して、帯電した黒粒子や白粒子等の電気泳動粒子を空間的に移動させる事で表示領域に画像を形成している。電気泳動粒子は一度空間的に移動すると、電圧が取り除かれても、粒子同士の凝集力により拡散が抑制される。その為に、電気泳動表示装置は、電力供給がなされずとも、画像を維持する性質があり、それ故に低消費電力の電子書籍などに適応されている。従来の電気泳動表示装置では、特許文献１に記載されている様に、電気泳動粒子に酸化チタンなどの白粒子とカーボンブラックなどの黒粒子とを用いていた。その際に、白表示の反射率を高めたり、或いはコントラスト比を高めたりする為に、酸化チタンを黒粒子よりも遙かに沢山含有させていた。
【先行技術文献】
【特許文献】
【０００３】
【特許文献１】特開２００９−１４５８７３号公報
【発明の概要】
【発明が解決しようとする課題】
【０００４】
しかしながら、電気泳動材料に多量の酸化チタンを含有させると、電気泳動が行い難くなると云う課題があった。酸化チタンは密度が４．２ｇ／ｃｍ3と大きい為に、密度が１程度以下との軽い溶媒に分散させるには、多量の分散剤や界面活性剤を用いて酸化チタン表面を被覆せねばならない。この結果、電気泳動材料の粘度が上昇し、電気泳動が阻害されていた。即ち、従来の電気泳動材料を用いた電気泳動表示装置では、高品位表示（高コントラストや反射率の高い白表示）と電気泳動性（低電圧駆動や高速応答）とが両立しないという課題があった。
【課題を解決するための手段】
【０００５】
本発明は、前述の課題の少なくとも一部を解決する為になされたものであり、以下の形態又は適用例として実現することが可能である。
【０００６】
（適用例１）  本適用例に係わる電気泳動材料は、第一極性に帯電した第一顔料粒子と、第二顔料粒子と、透明微粒子と、が溶媒に分散されている事を特徴とする。
この構成の電気泳動材料を電気泳動表示装置に適応すれば、溶媒に分散した透明微粒子が光を散乱させるので、電気泳動表示装置で第二顔料粒子の色を際立たせる事ができる。即ち、第二顔料粒子の量を減らしながらも、第二顔料粒子の色を鮮やかに表示させる事ができる。第二顔料粒子の量を減らせるので、分散剤などの添加量も減り、電気泳動材料の粘度は上昇せず、高い電気泳動性を維持する事ができる。従って、この構成の電気泳動材料を用いた電気泳動表示装置では、高品位表示（高コントラストや反射率の高い白表示）と優れた電気泳動性（低電圧駆動や高速応答）とを両立させる事ができる。
【０００７】
（適用例２）  上記適用例に係わる電気泳動材料において、第二顔料粒子の総表面積と透明微粒子の総表面積との和に対する第二顔料粒子の総表面積の割合（面積割合）が４％以上９６％以下である事が好ましい。
この構成の電気泳動材料を電気泳動表示装置に適応すれば、第二顔料粒子の表示色を従来よりも鮮やかにする事ができる。例えば、第二顔料粒子の色が白の場合、電気泳動表示装置が白表示をした場合、従来よりも白の反射率を高め、明るい白色とする事ができる。
【０００８】
（適用例３）  上記適用例に係わる電気泳動材料において、面積割合が１０％以上５６％以下である事が好ましい。
この構成の電気泳動材料を電気泳動表示装置に適応すれば、第二顔料粒子の表示色を従来よりも取り分け鮮やかにする事ができる。例えば、第二顔料粒子の色が白の場合、電気泳動表示装置が白表示をした場合、従来よりも白の反射率を大きく高め、極めて明るい白色とする事ができる。
【０００９】
（適用例４）  上記適用例に係わる電気泳動材料において、第二顔料粒子は白色である事が好ましい。
透明微粒子の光散乱は乳白色を帯びる。従って、この構成の電気泳動材料を電気泳動表示装置に適応すれば、第二顔料粒子が白色であるので、透明微粒子の光散乱と併せて明度の高い白表示を少ない量の第二顔料粒子で実現する事ができる。
【００１０】
（適用例５）  上記適用例に係わる電気泳動材料において、第一顔料粒子は黒色である事が好ましい。
黒色の顔料粒子は光を吸収するので、透明微粒子が光散乱で顔料粒子の色を際立たせる効果は、黒表示には適応できない。従って、この構成の電気泳動材料を電気泳動表示装置に適応すれば、第一顔料粒子と異なる色を示す第二顔料粒子の色を透明微粒子が際立たせる事ができる。
【００１１】
（適用例６）  上記適用例に係わる電気泳動材料において、透明微粒子の粒径は５０ｎｍ以上１μｍ以下の範囲にある事が好ましい。
可視光の中心波長は５５０ｎｍ程度であり、微粒子の大きさがその１０分の１程度以下だと可視光は微粒子によりレイリー散乱される。一方、微粒子の粒径が１０分の１程度以上と波長に比べて無視できない場合、可視光は微粒子によりミー散乱される。更に、透明微粒子は光の吸収が極めて小さい。従って、この構成の電気泳動材料を電気泳動表示装置に適応すれば、透明微粒子が第二顔料粒子の色をそのままミー散乱させるので、第二顔料粒子の色を際立たせる事ができる。又、電気泳動表示装置の厚みは通常数十μｍであるので、透明微粒子の粒径が１μｍ以下で有ると、表示に十分な量の透明微粒子を電気泳動材料に添加する事ができる。
【００１２】
（適用例７）  上記適用例に係わる電気泳動材料において、透明微粒子の密度は２．５ｇ／ｃｍ3以下である事が好ましい。
化学的に安定で毒性もなく、安価で容易に取り扱えるシリカビーズの密度は２．４５ｇ／ｃｍ3程度である。又、大半の樹脂材料の密度は２．５ｇ／ｃｍ3以下である。従って、この構成の電気泳動材料を電気泳動表示装置に適応すれば、密度が大きく、分散が困難な第二顔料粒子を減らし、密度が小さく取り扱いが容易で品種も豊富な樹脂材料やシリカビーズを透明微粒子として使用する事ができる。又、密度が２．５ｇ／ｃｍ3以下と小さければ、透明微粒子の粒径が１μｍと大きくとも、ストークスの法則により、沈降速度は０．８μｍ／ｓ程度と遅くなる。この為に、電気泳動表示装置の厚みが５０μｍ程度と薄い場合でも、沈降時間は１分程度となり、十分な画像保持性を示す事になる。即ち、高品位表示（高コントラストや反射率の高い白表示）と優れた電気泳動性（低電圧駆動や高速応答）とが両立すると共に、画像保持性に優れた電気泳動表示装置とそれに用いられる電気泳動材料とを、安全且つ、容易に実現する事ができる。
【００１３】
（適用例８）  上記適用例に係わる電気泳動材料において、透明微粒子は樹脂である事が好ましい。
樹脂には多くの材料があり、材料の選択肢が広い。しかも粒径の調整なども比較的容易である。又、有機溶媒への分散も容易で、分散安定性も高い。従って、この構成の電気泳動材料を電気泳動表示装置に適応すれば、高品位表示（高コントラストや反射率の高い白表示）と優れた電気泳動性（低電圧駆動や高速応答）とを容易に両立させる事ができる。更に、樹脂の密度は溶媒の密度と同じ程度である為に、重力による沈降は殆ど生じなくなる。従って、沈降時間は極めて長くなり、この構成の電気泳動材料を適応した電気泳動表示装置は十分に長い画像保持性を示す事になる。
【００１４】
（適用例９）  上記適用例に係わる電気泳動材料において、第一顔料粒子の電気泳動移動度は、第二顔料粒子の電気泳動移動度と透明微粒子の電気泳動移動度とよりも大きい事が好ましい。
第二顔料粒子と透明微粒子とはミー散乱を利用して第二顔料粒子の色を際立たせるので、空間的に狭い領域に局在される必要性は小さい。従って、この構成の電気泳動材料を電気泳動表示装置に適応すれば、主として第一顔料粒子を電気泳動させる事で表示の切り替えを行う事ができる。
【００１５】
（適用例１０）  上記適用例に係わる電気泳動材料において、第二顔料粒子は第二極性に帯電している事が好ましい。
この構成の電気泳動材料を電気泳動表示装置に適応すれば、電気泳動材料に印加する電界で第一顔料粒子も第二顔料粒子もその分布位置を制御する事ができる。即ち、異なった画像間で画像品位を安定させる事ができる。例えば、第一顔料粒子の色を表示させようとした場合に、いつでも同じ程度の明度や反射率の表示を行う事ができる。
【００１６】
（適用例１１）  上記適用例に係わる電気泳動材料において、第二顔料粒子の電気泳動移動度は、透明微粒子の電気泳動移動度よりも大きい事が好ましい。
透明微粒子は可視光をミー散乱させるので、空間的に狭い領域に局在される必要性は小さい。従って、この構成の電気泳動材料を電気泳動表示装置に適応すれば、第一顔料粒子と第二顔料粒子とを主として電気泳動させる事で表示の切り替えを行う事ができる。
【００１７】
（適用例１２）  上記適用例に係わる電気泳動材料において、第二顔料粒子は電気的に中性である事が好ましい。
第二顔料粒子による表示は、透明微粒子のミー散乱を利用しているので、第二顔料粒子が空間的に狭い領域に局在させられる必要性は小さく、電気泳動される必要性も小さい。従って、この構成の電気泳動材料を電気泳動表示装置に適応すれば、第一顔料粒子を電気泳動させる事で表示の切り替えを行う事ができる。更に、第二顔料粒子が帯電していないので、電気泳動材料を介した漏れ電流が減り、良好な電気泳動性を有する電気泳動材料とする事ができる。又、第二顔料粒子が帯電していないので、第一顔料粒子と第二顔料粒子とがクーロンカップリングする事がなく、両者を容易に分離できる。即ち、この構成の電気泳動材料を電気泳動表示装置に適応すれば、高品位表示（高コントラストや反射率の高い白表示）と優れた電気泳動性（低電圧駆動や高速応答）とを容易に両立させる事ができる。
【００１８】
（適用例１３）  上記適用例に係わる電気泳動材料において、透明微粒子は電気的に中性である事が好ましい。
透明微粒子は可視光をミー散乱させるので、空間的に狭い領域に局在させられる必要性は小さく、電気泳動される必要性も小さい。従って、この構成の電気泳動材料を電気泳動表示装置に適応すれば、第一顔料粒子と第二顔料粒子とを電気泳動させる事で表示の切り替えを行う事ができる。更に、透明微粒子が帯電していないので、電気泳動材料を介した漏れ電流が減り、良好な電気泳動性を有する電気泳動材料とする事ができる。
【００１９】
（適用例１４）  上記適用例に係わる電気泳動材料において、透明微粒子は第二極性に帯電している事が好ましい。
透明微粒子は第二顔料粒子の表示色を際立たせる役目を負う。従って、この構成の電気泳動材料を電気泳動表示装置に適応すれば、透明微粒子と第二顔料粒子とは同極性となり、両者を同じ様に電気泳動させる事ができる。
【００２０】
（適用例１５）  本適用例に係わる電気泳動表示装置は、上記適用例のいずれか一項に記載の電気泳動材料を備えた事を特徴とする。
この構成によれば、高品位表示（高コントラストや反射率の高い白表示）と優れた電気泳動性（低電圧駆動や高速応答）とが容易に両立し、更に画像保持性に優れた電気泳動表示装置を実現する事ができる。
【００２１】
（適用例１６）  本適用例に係わる電子機器は、上記適用例に記載の電気泳動表示装置を備えた事を特徴とする。
この構成によれば、高品位表示（高コントラストや反射率の高い白表示）と優れた電気泳動性（低電圧駆動や高速応答）とが容易に両立し、更に画像保持性に優れた電子機器を実現する事ができる。
【図面の簡単な説明】
【００２２】
【図１】実施形態１における電子機器の斜視図。
【図２】実施形態１に係わる電気泳動表示装置を説明した断面図。
【図３】第二顔料粒子の重量割合が第二表示に及ぼす効果を説明した図。
【図４】第二顔料粒子の粒子数割合が第二表示に及ぼす効果を説明した図。
【図５】実施形態１に係わる電気泳動表示装置の回路図。
【図６】電子ペーパーの構成を示す斜視図。
【図７】電子ノートの構成を示す斜視図。
【図８】実施形態２に係わる電気泳動表示装置を説明した断面図。
【図９】実施形態３に係わる電気泳動表示装置を説明した断面図。
【図１０】実施形態４に係わる電気泳動表示装置を説明した断面図。
【発明を実施するための形態】
【００２３】
以下、本発明の実施形態について、図面を参照して説明する。尚、以下の各図においては、各層や各部材を認識可能な程度の大きさにするため、各層や各部材の尺度を実際とは異ならせしめている。
【００２４】
（実施形態１）
「電子機器の概要」
図１は、実施形態１における電子機器の斜視図である。先ず、実施形態１に係わる電子機器と電気泳動表示装置との概要を、図１を参照して説明する。
【００２５】
図１に示す様に、本発明に係わる電子機器１００は、電気泳動表示装置１５０と、電子機器１００を操作するためのインターフェイスとを備えている。インターフェイスとは、具体的には操作部１２０で、スイッチなどから構成される。電気泳動表示装置１５０は表示領域１０を有するディスプレイモジュールである。表示領域１０は複数の画素２０（図５（ａ）参照）から成り、これらの画素２０が電気的に制御される事で表示領域１０に画像が表示される。
【００２６】
「電気泳動表示装置の構造」
図２は、実施形態１に係わる電気泳動表示装置を説明した断面図であり、（ａ）は第二表示を説明し、（ｂ）は第一表示を説明している。尚、第一顔料粒子２４１の色を第一の色とし、第一の色を表示する場合を第一表示とする。同様に、第二顔料粒子２４２の色を第二の色とし、第二の色を表示する場合を第二表示とする。第一の色と第二の色とは異なっており、本実施形態では、一例として、第一の色を黒色とし、第二の色を白色としている。次に、図２を用いて、本実施形態に係わる電気泳動表示装置１５０の構造を説明する。
【００２７】
電気泳動表示装置１５０は第一基板８０と第二基板９０とを有する。表示領域１０には複数の画素２０が行列状に配置されている。第一基板８０で表示領域１０となる領域には、画素２０毎に画素電極２２と画素回路（図５（ｂ）参照）とが形成され、第二基板９０にはほぼ全面に共通電極２３が形成されている。画素回路は画素スイッチング用トランジスター２１と保持容量２５とを含んでおり、一つの画素２０は走査線３０とデータ線４０との交点に形成される。更に、画素２０には共通電位線５０も配線されている。第一基板８０と第二基板９０と間には電気泳動材料２４が挟持されている。電気泳動材料２４は第一極性に帯電した第一顔料粒子２４１と、第二顔料粒子２４２と、透明微粒子２４３と、を含み、これらが不図示の分散剤などの添加剤と共に不図示の溶媒に分散されて電気泳動材料２４とされている。
【００２８】
本実施形態では、第二顔料粒子２４２は第二極性に帯電しており、透明微粒子は電気的に中性である。第二極性とは電気的に第一極性と反対の極性で、本実施形態では、一例として、第一極性を正（プラス）とし、第二極性を負（マイナス）としている。この結果、電気泳動材料２４は画素電極２２と共通電極２３との間で電気泳動性を示す事になる。第一顔料粒子２４１と第二顔料粒子２４２とが互いに逆極性に帯電しているので、電気泳動材料２４に印加する電界で第一顔料粒子２４１も第二顔料粒子２４２もそれらの分布位置を制御する事ができる。即ち、異なった画像間で画像品位を安定させる事ができる。例えば、第一の画素と第二の画像とで第一の色を表示させようとした場合に、第二顔料粒子２４２の分布位置をどちらの画像でも制御できるので、第一の画素でも第二の画像でも、いつでも同じ程度の明度や反射率の表示を行う事ができる。
【００２９】
第一顔料粒子２４１の第一の色と第二顔料粒子２４２の第二の色とは互いに相補的で有る事が好ましい。即ち、白色光を第一顔料粒子２４１に照射した際に、第一顔料粒子２４１が第二の色を吸収して得られる反射色を第一の色とするのが好ましい。本実施形態では、一例として、第二の色は白色で、第二顔料粒子２４２は白色を呈している。従って、第一顔料粒子２４１が呈する第一の色は黒色である。透明微粒子２４３は透明である。ここでの透明とは、透明微粒子２４３をなす材料にて２５μｍ程度の厚みを有するフィルムや薄板を作製した際に、これらのフィルムや薄板が可視光領域で８０％程度以上の光透過率を有する、との意味である。
【００３０】
第二基板９０は透明で、使用者は第二基板９０側から電気泳動表示装置１５０を見る。従って、図２（ａ）に示す様に、例えば、白表示をさせるには、白色の第二顔料粒子２４２を共通電極２３側に寄せ、黒色の第一顔料粒子２４１を画素電極２２側に寄せる。電気泳動表示装置１５０に入射する光６０は、第二顔料粒子２４２や透明微粒子２４３によって散乱され、第二表示する事になる。反対に、黒表示をさせるには、図２（ｂ）に示す様に、黒色の第一顔料粒子２４１を共通電極２３側に寄せ、白色の第二顔料粒子２４２を画素電極２２側に寄せる。電気泳動表示装置１５０に入射する光６０は、第一顔料粒子２４１によって吸収され、第一表示する事になる。
【００３１】
一般に物体が白色を呈するのは、酸化チタンやアルミナなどの白顔料によって白く見える場合と、光が流体に分散した微粒子によって散乱（主としてミー散乱）して白く見える場合と、の二種類がある。従来の電気泳動材料や電気泳動表示装置が白顔料を用いて白色を表示していたのに対し、本実施形態では、白表示させるのに白顔料（第二顔料粒子２４２）と透明微粒子２４３によるミー散乱とを共に利用している。こうする事で、酸化チタンなどの第二顔料粒子２４２の量を減らしながらも、第二顔料粒子２４２の色を鮮やかに表示させる事ができる。第二顔料粒子２４２の量を減らせるので、分散剤などの添加量も減り、電気泳動材料２４の粘度を低く保て、高い電気泳動性を維持する事ができる。更に、第二顔料粒子２４２が少量で、その他に分散性も分散安定性も第二顔料粒子２４２よりも優れた透明微粒子２４３が添加されているので、第二顔料粒子２４２の沈降が抑制され、この点からも電気泳動表示装置１５０の画像保持性が向上する事になる。前述の如く、ミー散乱を利用して第二の色を表示するので、第一の色は第二の色に対する相補色とするのが好ましい。又、電気泳動表示装置１５０は電子ペーパーなどの電子機器１００に使用される場合が多いので、第一の色を黒色とし、第二の色を白色とするのが好ましい。
【００３２】
尚、本実施形態では、第二顔料粒子２４２は第二極性に帯電しており、透明微粒子２４３は電気的に中性であるので、透明微粒子２４３の電気泳動移動度はほぼゼロで、第二顔料粒子２４２の電気泳動移動度は透明微粒子２４３の電気泳動移動度よりも大きい。更に第一顔料粒子２４１に強い帯電処理を施し、第一顔料粒子２４１の電気泳動移動度が第二顔料粒子２４２の電気泳動移動度よりも大きくしてある。図２（ａ）と（ｂ）とを比較すると判る様に、本実施形態で必ず電気泳動するのは第一顔料粒子２４１である。その為に、第一顔料粒子２４１は強く帯電している必要があり、電気泳動移動度も大きくなければならない。一方、第二顔料粒子２４２と透明微粒子２４３は可視光をミー散乱させるので、空間的に狭い領域に局在される必要性は小さい。即ち、第一基板８０と第二基板９０との間に第二顔料粒子２４２と透明微粒子２４３とは比較的均一に分布しておれば良く、必ずしも強く電気泳動される必要性はない。従って、本実施形態では、電気泳動表示装置１５０で第一顔料粒子２４１が主として電気泳動し、第二顔料粒子２４２は弱く電気泳動する事で表示の切り替えが行われている。一般に粒子に帯電処理を施すと、溶媒中に反対極性のイオンが放出され、溶媒の絶縁性が低下する。本実施形態の電気泳動材料２４では、透明微粒子２４３に帯電処理されず、第二顔料粒子２４２の帯電処理も弱いので、溶媒中に放出されるイオンの量も減り、溶媒の絶縁性が増す。溶媒の電気絶縁性が増すと、帯電粒子に効率的に電界が印加されるので、電気泳動性が向上する。即ち、帯電粒子が被る実効的な電界強度が大きくなるので、電気泳動性が向上する。こうして電気泳動表示装置１５０は優れた電気泳動性を示す事になる。
【００３３】
「電気泳動材料」
次に電気泳動材料２４を説明する。電気泳動材料２４は、主として、第一顔料粒子２４１や第二顔料粒子２４２と言った顔料粒子と透明微粒子と溶媒とその他の添加剤とから構成される。尚、第一顔料粒子２４１と第二顔料粒子２４２とを特に区別する必要がない場合、両者を総称して単に顔料粒子と呼ぶ。
【００３４】
顔料粒子には、顔料その物と、樹脂系粒子に顔料や染料と云った色材を混ぜ合わせた物（樹脂系色粒子）と、がある。顔料粒子は、分散安定性の観点から、小さい物が好ましい。具体的には、その平均粒径が１０ｎｍ程度から３μｍ程度の範囲にある物が好ましく、１００ｎｍ程度から１μｍ程度の範囲にある物がより好ましい。
【００３５】
顔料粒子として顔料その物を使用する際には、顔料その物をそのまま使用しても良いし、顔料その物の表面を樹脂材料や他の顔料などの材料で被覆して使用しても良い。顔料その物の表面を他の材料で被覆した顔料粒子としては、例えば、酸化チタン粒子の表面を、酸化珪素や酸化アルミニウムで被覆した物が挙げられる。この粒子は白色粒子として好適である。
【００３６】
顔料粒子として樹脂系色粒子を使用する際には、樹脂系粒子の基礎材料として、アクリル系樹脂やウレタン系樹脂、尿素系樹脂、エポキシ系樹脂、ポリスチレン、ポリエステル、ポリエチレン、ポリプロピレン等が挙げられ、これらの内の一種又は二種以上を組み合わせ樹脂系粒子とする。樹脂系粒子に色材を混ぜ合わせた樹脂系色粒子は、顔料や染料と上述の基礎材料とを適当な組成比で混合した物の他に、樹脂系粒子の表面を顔料や染料で被覆した物をも含む。こうして得られた樹脂系色粒子の表面を、更に高分子ポリマーなどの有機物で修飾しても良いし、酸化珪素などの無機物で修飾しても良い。
【００３７】
第一顔料粒子２４１は第一の色を呈する顔料であり、本実施形態では第一の色が黒色であるので、好適例として第一顔料粒子２４１にチタンブラック（密度４．３ｇ／ｃｍ3）を用いている。チタンブラックの平均粒径は２５０ｎｍである。第一顔料粒子２４１はこの他にアニリンブラックやカーボンブラックなどを使用しても良い。
【００３８】
第二顔料粒子２４２は第二の色を呈する顔料であり、本実施形態では第二の色が白色であるので、好適例として第二顔料粒子２４２に酸化チタン（密度４．２５ｇ／ｃｍ3）を用いている。酸化チタンの平均粒径は２５０ｎｍである。第二顔料粒子２４２はこの他に三酸化アンチモン（密度５．２ｇ／ｃｍ3）、酸化アルミニウム（密度４．０ｇ／ｃｍ3）、炭酸カルシウム（密度２．８ｇ／ｃｍ3）、酸化バリウム（密度５．７ｇ／ｃｍ3）、炭酸バリウム（密度４．３ｇ／ｃｍ3）、硫酸バリウム（密度４．５ｇ／ｃｍ3）、酸化マグネシウム（密度３．６５ｇ／ｃｍ3）、などを使用しても良い。
【００３９】
透明微粒子２４３はその粒径（直径）が５０ｎｍ以上１μｍ以下の範囲にある物を使用するのが好ましい。可視光の中心波長は５５０ｎｍ程度であるので、透明微粒子２４３の大きさがその１０分の１程度以上と可視光波長に比べて無視できない場合、可視光は透明微粒子２４３によりミー散乱される。更に、透明微粒子２４３は光の吸収が極めて小さいので、透明微粒子２４３が第二顔料粒子２４２の色をそのままミー散乱させ、第二顔料粒子２４２の色を際立たせる事ができる。又、電気泳動表示装置１５０の厚み（図２で第一基板８０と第二基板９０との距離）は通常数十μｍであるので、透明微粒子の粒径が１μｍ以下で有ると、表示に十分な量の透明微粒子２４３を電気泳動材料２４に添加し、画素電極２２と共通電極２３との間でミー散乱にふさわしい十分な回数の光の反射を生じさせる事ができる。本実施形態では、好適例として、透明微粒子２４３は粒径５００ｎｍのシリカビーズを用いている。
【００４０】
透明微粒子２４３の密度は２．５ｇ／ｃｍ3以下である事が好ましい。シリカビーズは、物によってその密度が異なるが、概ね２．４５ｇ／ｃｍ3以下であり、化学的に安定で毒性もなく、粒径分布を整えるのも容易で、しかも安価で、製造時に容易に取り扱う事ができ、透明微粒子２４３に好適である。又、大半の樹脂材料の密度は１．５ｇ／ｃｍ3以下である。従って、シリカビーズや樹脂材料を透明微粒子２４３として使用すると、密度が大きく、分散が困難な第二顔料粒子２４２の量を減らせる事になる。又、密度が２．５ｇ／ｃｍ3以下と小さければ、透明微粒子２４３の粒径が１μｍ程度と大きくとも、数式１に示すストークスの法則により、沈降速度は０．８μｍ／ｓ程度と遅くなる。
【００４１】
【数１】
0006035885.tif 000002
【００４２】
ここで、ｖは沈降速度、ρPは透明微粒子２４３の密度、ρSは溶媒の密度、ｇは重力加速度、ｒPは透明微粒子２４３の半径（従って、透明微粒子２４３の粒径は２ｒP）、ηは溶媒の粘度である。尚、本実施形態で用いたシリカビーズの密度は２．２０ｇ／ｃｍ3である。溶媒の密度は概ね１ｇ／ｃｍ3程度で、粘度は１ｍＰａｓ程度である。従って、本実施形態で透明微粒子２４３の沈降速度は０．６５μｍ／ｓ程度である。この様に透明微粒子２４３の密度が小さく、沈降速度が遅いので、電気泳動表示装置１５０の厚みが５０μｍ程度と薄い場合でも、沈降時間は１分程度以上となり、十分な画像保持性を示す事になる。
【００４３】
透明微粒子２４３の材質は樹脂であっても良い。樹脂には様々な材料があり、透明微粒子２４３に対する選択肢が広がるからである。而も樹脂からなる透明微粒子２４３は、粒径が小さくとも、粒径の調整が比較的容易で、平均粒径に対して標準偏差を小さくして、粒径分布を整える事が可能である。更には、樹脂からなる透明微粒子２４３は溶媒への分散も容易で、分散安定性も高い。加えて、多くの樹脂で密度が１．０／ｃｍ3から１．５ｇ／ｃｍ3程度と、溶媒の密度（０．８／ｃｍ3から１．２ｇ／ｃｍ3程度）に近いので、分散後に溶媒中での沈降も殆ど生じない。具体的に透明微粒子２４３の樹脂としては、線状又はシクロオレフィンポリマーなどの環状のポリエチレン（密度０．９２／ｃｍ3から０．９７ｇ／ｃｍ3程度）やポリプロピレン（密度０．９０／ｃｍ3から０．９２ｇ／ｃｍ3程度）、ポリスチレン（密度１．０４／ｃｍ3から１．０７ｇ／ｃｍ3程度）、ポリメタクリル酸メチルなどのアクリル樹脂（密度１．１８／ｃｍ3から１．２２ｇ／ｃｍ3程度）などが挙げられる。これらの樹脂単体、或いはこれらの樹脂の複合体、或いはこれらの樹脂単体や複合体に架橋剤を加えて反応させた物などが、透明微粒子２４３に用いられる。この他にも、上述の樹脂からなる微粒子の表面をシリカコートなどの無機材料でコーティングした物も透明微粒子２４３として使用する事ができる。この場合、溶媒に対する耐性が向上し、電気泳動材料の経時安定性が増す。更に、濡れ性も向上するので、分散性も分散安定性も向上して好ましい。或いは、シリカビーズを樹脂層でコーティングして、屈折率を調整したり、比重を低減させたりして透明微粒子２４３を構成しても構わない。
【００４４】
溶媒としては、高絶縁性の有機溶媒が好ましく、透明微粒子２４３に対する貧溶媒とする。ここでの貧溶媒とは透明微粒子２４３を溶かさぬ溶媒である。即ち、貧溶媒は透明微粒子２４３を全く溶かさぬか、或いは透明微粒子２４３の形状を保つ程度に僅かに溶かすか、或いは透明微粒子２４３の低分子成分が僅かに溶出する程度に溶かすか、のいずれかの性質を示す溶媒である。貧溶媒とする事で透明微粒子２４３の溶媒に対する耐性が向上し、電気泳動材料２４の経時安定性が増すからである。
【００４５】
ポリエチレンにて透明微粒子２４３を形成した場合、好適な貧溶媒として、水、或いはメタノールやエタノール、ブタノール、イソプロパノール、オクタノール、メチルセルソルブなどのアルコール系溶剤、或いはポリジメチルシロキサンなどのシリコーンオイル、或いは大豆油やひまわり油、オリーブ油などの植物油、などが挙げられる。高い電気泳動性を示すには、溶媒に高絶縁性が求められ、最適な貧溶媒はシリコーンオイルである。
【００４６】
ポリプロピレンにて透明微粒子２４３を形成した場合、好適な貧溶媒として、水、或いはメタノールやエタノール、ブタノール、イソプロパノール、オクタノール、メチルセルソルブなどのアルコール系溶剤、或いはポリジメチルシロキサンなどのシリコーンオイル、或いは大豆油やひまわり油、オリーブ油などの植物油、或いはイソパラフィン系溶剤の様な石油系溶剤などが挙げられる。高い電気泳動性を示すには、溶媒に高絶縁性が求められ、最適な貧溶媒はシリコーンオイルや石油系溶剤である。
【００４７】
ポリスチレンにて透明微粒子２４３を形成した場合、好適な貧溶媒として、水、或いはポリジメチルシロキサンなどのシリコーンオイル、などが挙げられる。高い電気泳動性を示すには、溶媒に高絶縁性が求められ、最適な貧溶媒はシリコーンオイルである。
【００４８】
アクリル樹脂にて透明微粒子２４３を形成した場合、好適な貧溶媒として、水、或いはｏ−キシレンやｍ−キシレン、ｐ−キシレン、トルエン、ベンゼン、ドデシルベンゼン、ヘキシルベンゼン、フェニルキシリルエタン、ナフテン系炭化水素などの芳香族系炭化水素系溶剤、或いはポリジメチルシロキサンなどのシリコーンオイル、或いは大豆油やひまわり油、オリーブ油などの植物油、或いはイソパラフィン系溶剤の様な石油系溶剤などが挙げられる。高い電気泳動性を示すには、溶媒に高絶縁性が求められ、最適な貧溶媒はシリコーンオイルや石油系溶剤である。
【００４９】
樹脂からなる微粒子の表面をシリカコートなどの無機材料でコーティングした物やシリコンビーズにて透明微粒子２４３を形成した場合、好適な貧溶媒として、水、或いはメタノールやエタノール、ブタノール、イソプロパノール、オクタノール、メチルセルソルブなどのアルコール系溶剤、或いはｏ−キシレンやｍ−キシレン、ｐ−キシレン、トルエン、ベンゼン、ドデシルベンゼン、ヘキシルベンゼン、フェニルキシリルエタン、ナフテン系炭化水素などの芳香族系炭化水素系溶剤、或いはシクロへキサンやｎ−ヘキサン、ケロシン、パラフィン系炭化水素などの脂肪族炭化水素系溶剤、或いは酢酸エチルや酢酸ブチルなどの各種エステル系溶剤、或いはアセトンやメチルエチルケトン、メチルイソブチルケトン等のケトン系溶剤、或いはポリジメチルシロキサンなどのシリコーンオイル、或いは大豆油やひまわり油、オリーブ油などの植物油、或いはクロロブタンやクロロホルム、ジクロロベンゼン、トリクロロエチレン、トリクロロフルオロエチレン、トリクロロエタン、四塩化炭素、シクロヘキシルクロライド、クロロベンゼン、１，１，２，２−テトラクロロエチレン、三塩化フッ化エタン、四フッ化二臭化エチル、臭化エタン、四フッ化二フッ化エタン、ヨウ化メチレン、トリヨードシラン、ヨウ化メチルなどのハロゲン化炭化水素系溶剤、或いは二硫化炭素、或いはイソパラフィン系溶剤の様な石油系溶剤など、水と殆どの有機溶剤が挙げられる。高い電気泳動性を示すには、溶媒に高絶縁性が求められ、最適な貧溶媒はシリコーンオイルや石油系溶剤である。
【００５０】
溶媒としては、透明微粒子２４３に対する良溶媒を採用する事もできる。ここでの良溶媒とは、本来は透明微粒子２４３を溶かす溶媒であるが、樹脂の架橋化反応などの工夫により実質的に貧溶媒とした物である。良溶媒とする事で透明微粒子２４３は溶媒を包含して膨潤するが、密度が溶媒と一層近くなるので分散安定性に寄与すると共に、ミー散乱も第一基板８０と第二基板９０との間で均一となり、第二顔料粒子２４２の第二の色を綺麗に表示する事になる。
【００５１】
ポリエチレンにて透明微粒子２４３を形成した場合、好適な良溶媒として、イソパラフィン系溶剤の様な石油系溶剤、或いはｏ−キシレンやｍ−キシレン、ｐ−キシレン、トルエン、ベンゼン、ドデシルベンゼン、ヘキシルベンゼン、フェニルキシリルエタン、ナフテン系炭化水素などの芳香族系炭化水素系溶剤、或いはクロロブタンやクロロホルム、ジクロロベンゼン、トリクロロエチレン、トリクロロフルオロエチレン、トリクロロエタン、四塩化炭素、シクロヘキシルクロライド、クロロベンゼン、１，１，２，２−テトラクロロエチレン、三塩化フッ化エタン、四フッ化二臭化エチル、臭化エタン、四フッ化二フッ化エタン、ヨウ化メチレン、トリヨードシラン、ヨウ化メチルなどのハロゲン化炭化水素系溶剤、などが挙げられる。
【００５２】
ポリプロピレンにて透明微粒子２４３を形成した場合、好適な良溶媒として、アセトンやメチルエチルケトン、メチルイソブチルケトン等のケトン系溶剤、或いはｏ−キシレンやｍ−キシレン、ｐ−キシレン、トルエン、ベンゼン、ドデシルベンゼン、ヘキシルベンゼン、フェニルキシリルエタン、ナフテン系炭化水素などの芳香族系炭化水素系溶剤、或いは酢酸エチルや酢酸ブチルなどの各種エステル系溶剤、などが挙げられる。
【００５３】
ポリスチレンにて透明微粒子２４３を形成した場合、好適な良溶媒として、アセトンやメチルエチルケトン、メチルイソブチルケトン等のケトン系溶剤、或いはｏ−キシレンやｍ−キシレン、ｐ−キシレン、トルエン、ベンゼン、ドデシルベンゼン、ヘキシルベンゼン、フェニルキシリルエタン、ナフテン系炭化水素などの芳香族系炭化水素系溶剤、或いは酢酸エチルや酢酸ブチルなどの各種エステル系溶剤、或いはクロロブタンやクロロホルム、ジクロロベンゼン、トリクロロエチレン、トリクロロフルオロエチレン、トリクロロエタン、四塩化炭素、シクロヘキシルクロライド、クロロベンゼン、１，１，２，２−テトラクロロエチレン、三塩化フッ化エタン、四フッ化二臭化エチル、臭化エタン、四フッ化二フッ化エタン、ヨウ化メチレン、トリヨードシラン、ヨウ化メチルなどのハロゲン化炭化水素系溶剤、などが挙げられる。
【００５４】
アクリル樹脂にて透明微粒子２４３を形成した場合、好適な良溶媒として、メタノールやエタノール、ブタノール、イソプロパノール、オクタノール、メチルセルソルブなどのアルコール系溶剤、或いはアセトンやメチルエチルケトン、メチルイソブチルケトン等のケトン系溶剤、或いはｏ−キシレンやｍ−キシレン、ｐ−キシレン、トルエン、ベンゼン、ドデシルベンゼン、ヘキシルベンゼン、フェニルキシリルエタン、ナフテン系炭化水素などの芳香族系炭化水素系溶剤、或いは酢酸エチルや酢酸ブチルなどの各種エステル系溶剤、或いはクロロブタンやクロロホルム、ジクロロベンゼン、トリクロロエチレン、トリクロロフルオロエチレン、トリクロロエタン、四塩化炭素、シクロヘキシルクロライド、クロロベンゼン、１，１，２，２−テトラクロロエチレン、三塩化フッ化エタン、四フッ化二臭化エチル、臭化エタン、四フッ化二フッ化エタン、ヨウ化メチレン、トリヨードシラン、ヨウ化メチルなどのハロゲン化炭化水素系溶剤、などが挙げられる。
【００５５】
「電気泳動材料組成」
図３は、第二顔料粒子の重量割合が第二表示に及ぼす効果を説明した図である。次に、図３を参照して、第二表示を綺麗に行う為に、第二顔料粒子２４２と透明微粒子２４３とをどの様な重量割合としたら良いかを説明する。
【００５６】
図３では、電気泳動表示装置１５０の第二表示（白表示）が第二顔料粒子２４２の割合に応じてどの様に変化するかに関する簡易実験系での結果が示されている。この変化を調べるにあたり、図２（ａ）に示す第二表示を簡易実験系にて再現して評価している。簡易実験系では、透明基板間に分散液を封入した平板状セルを形成し、この平板状セルを反射率１．１８％の黒背景に設置し、表面の反射率を計測した。分散液は、溶媒としてシリコーンオイルを用い、この溶媒に第二顔料粒子２４２（酸化チタン）と透明微粒子２４３（シリカビーズ）とを分散剤（アクリル／シリコーン共重合ポリマー）を添加して分散させている。第二顔料粒子２４２と透明微粒子２４３との総重量は分散液の３０ｗｔ％となるようにし、この総重量に対する第二顔料粒子２４２の重量割合を図３の横軸としている。従って、図３の横軸で０％は第二顔料粒子２４２を含まずに、透明微粒子２４３だけを含む分散液を示している。同様に、図３の横軸で１００％は透明微粒子２４３を含まず、第二顔料粒子２４２だけを含む分散液を示し、従来の電気泳動材料に相当する。図３の縦軸は表面の反射率である。尚、透明基板間の距離（セルギャップ）は６０μｍで、分散剤は溶媒に対して１０ｗｔ％添加されている。
【００５７】
図３の横軸で０％は第二顔料粒子２４２を含まないので、透明微粒子２４３によるミー散乱の白さを表している。セルギャップが６０μｍと狭い状態では、ミー散乱だけでは白さを表すのが困難で、反射率は７％程度である。要するに６０μｍのセルギャップでは、ミー散乱が不十分で表面から裏面が透けて見え、黒背景に近い反射率となっている。
【００５８】
一方、図３の横軸で５％は、第二顔料粒子２４２が５％で透明微粒子２４３が９５％を意味する。この場合、反射率は透明微粒子だけの７％から５０％近くに急激に向上する。これは第二顔料粒子２４２の色を透明微粒子２４３がミー散乱させている為である。即ち、透明微粒子２４３に僅かでも第二顔料粒子２４２が加えられると、透明微粒子２４３のミー散乱により、第二顔料粒子２４２の第二の色が鮮やかに表示される事になる。
【００５９】
図３の横軸で１００％は透明微粒子２４３を含まないので、従来の電気泳動材料に相当する。簡易実験系では分散液に第一顔料粒子２４１を含んでいないので、白表示が７５％程度の反射率になっているが、耐電処理された黒粒子とその逆極性に帯電処理された白粒子とを含む電気泳動材料にすると、黒粒子と白粒子とのクーロンカップリングなどにより、白表示の反射率はほぼ半減してしまう。即ち、従来の電気泳動材料では、図３の７５％が実際には４０％弱の白反射率と減少している。これに対して、弱く帯電した第二顔料粒子２４２と透明微粒子２４３とを含む本実施形態の電気泳動材料では図３に示される反射率から僅かしか白反射率は低下しない。例えば、第二顔料粒子２４２が５％で透明微粒子２４３が９５％で電気泳動材料２４を製造しても、白反射率は殆ど低下しない。これは、本発明に基づく電気泳動材料２４では、第二顔料粒子２４２は本実施形態の様に弱く耐電処理されているか、或いは実施形態３や実施形態４に示す様に中性であり、而も、その量も従来よりも少なく（この例では、従来の２０分の１）であるので、第一顔料粒子２４１と第二顔料粒子２４２とのクーロンカップリングが極めて小さくなる為である。要するに、第二顔料粒子２４２と透明微粒子２４３とに対する第二顔料粒子２４２の重量割合を５％以上とすると、従来よりも鮮やかな第二表示を行う事になる。第二の色が白色の場合、白反射率は従来よりも高くなり、コントラスト比も向上する。加えて、電気泳動材料２４の粘度も低下するので、電気泳動性も向上し、高速での表示切り替えや低電圧駆動が実現する。更に、分散安定性も増すので、画像保持性も向上する事になる。
【００６０】
第二顔料粒子２４２と透明微粒子２４３とに対する第二顔料粒子２４２の重量割合の上限は９９％であるが、図３からこの重量割合が７５％以下なら間違いなく従来よりも高い白反射率を示す事が判る。第二顔料粒子２４２の割合が大きい程、第一顔料粒子２４１と第二顔料粒子とのクーロンカップリングが大きくなり、電気泳動材料２４の白表示の反射率は図３から乖離するからである。又、第二顔料粒子２４２の重量割合が大きい程、電気泳動性の向上も少なくなり、同時に画像保持性の向上量も減ってくる。従って、第二顔料粒子２４２と透明微粒子２４３とに対する第二顔料粒子２４２の最適な重量割合は１０％から５０％の範囲となる。
【００６１】
次に、第一顔料粒子２４１や第二顔料粒子２４２、透明微粒子２４３の最適量を説明する。まず、第一顔料粒子２４１も第二顔料粒子２４２も透明微粒子２４３も球と考え、コントラスト比の高い電気泳動表示装置１５０を実現する上で必要となる電気泳動材料２４の組成を考える。第二顔料粒子２４２（白粒子）の密度をρW、白粒子の半径をｒW、第一顔料粒子２４１（黒粒子）の密度をρB、黒粒子の半径をｒB、透明微粒子２４３（透明粒子）の密度をρP、透明粒子の半径をｒPとする。この際に、黒粒子の断面積は数式２で表される。
【００６２】
【数２】
0006035885.tif 000003
【００６３】
平面を円が細密充填した際に、円の面積割合は数式３である。
【００６４】
【数３】
0006035885.tif 000004
【００６５】
従って、細密充填した際に黒粒子が専有する面積は、数式２を数式３にて除して、数式４となる。
【００６６】
【数４】
0006035885.tif 000005
【００６７】
次に、平面視で一辺の長さがＬの正方形で、セルギャップｄのセルを想定する。この正方形の面積はＬ2で有るので、正方形を総て平面的に覆い尽くすのに必要な粒子数は、数式５にて表される。
【００６８】
【数５】
0006035885.tif 000006
【００６９】
必要な黒粒子の層数をＮBで表すと、必要な黒粒子の総数は数式６となる。
【００７０】
【数６】
0006035885.tif 000007
【００７１】
黒粒子一個の重量は、数式７である。
【００７２】
【数７】
0006035885.tif 000008
【００７３】
従って、セル内の黒粒子の総重量は数式６と数式７との積で、数式８となる。
【００７４】
【数８】
0006035885.tif 000009
【００７５】
セルの深さはｄであり、セルには白粒子と黒粒子と透明粒子とを入れ、溶剤の密度をρSとすると、セルを充満する溶剤の重量は、正方形の体積から白粒子の体積と黒粒子の体積と透明粒子の体積とを減じた体積に溶剤の密度を乗じ、数式９となる。
【００７６】
【数９】
0006035885.tif 000010
【００７７】
尚、ＮWは白粒子を層状に並べた際の層数であり、ＮPは透明粒子を層状に並べた際の層数である。数式８と数式９とから、電気泳動材料２４の粒子と溶剤との（溶剤＋黒粒子＋白粒子＋透明粒子）の重量は、数式１０となる。
【００７８】
【数１０】
0006035885.tif 000011
【００７９】
通常は粒子と溶剤の他に添加剤が加えられるので、電気泳動材料２４の全体の重量に対する黒粒子重量の割合ＷBは、数式８を添加剤の効果ｋを加味した数式１０にて除して、数式１１となる。尚、ｋは場合によって異なるが、１以上で、概ね１．１程度となる場合が多い。
【００８０】
【数１１】
0006035885.tif 000012
【００８１】
同様に電気泳動材料全体重量に対する白粒子重量の割合ＷWは、数式１２となる。
【００８２】
【数１２】
0006035885.tif 000013
【００８３】
同様に電気泳動材料全体重量に対する透明粒子重量の割合ＷPは、数式１３となる。
【００８４】
【数１３】
0006035885.tif 000014
【００８５】
ちなみに、白粒子（第二顔料粒子２４２）重量と透明粒子（透明微粒子２４３）重量との和に対する白粒子（第二顔料粒子２４２）重量の割合ＲW（重量割合）は数式１４となる。
【００８６】
【数１４】
0006035885.tif 000015
【００８７】
図３を用いて説明した様に、重量割合ＲWの好ましい範囲は５％以上９９％以下で、最適な範囲は１０％以上５０％以下である。重量割合ＲWの好ましい範囲の下限をＲWminとし、好ましい範囲の上限をＲWmaxとすると、数式１４は数式１５に書き換えられる。
【００８８】
【数１５】
0006035885.tif 000016
【００８９】
ＲWmin＝５％、ＲWmax＝９９％の場合、数式１５は数式１６となる。
【００９０】
【数１６】
0006035885.tif 000017
【００９１】
又、ＲWmin＝１０％、ＲWmax＝５０％の場合、数式１５は数式１７となる。
【００９２】
【数１７】
0006035885.tif 000018
【００９３】
ＮB＝１で有ると、数式３により隙間が９．３１％存在するので、白粒子の反射率が８０％で、黒粒子の反射率０％と云った理想系であっても、黒表示の反射率は７．４％となる。即ち、黒粒子が１層しかなければ、隙間によってコントラスト比を落としてしまう。粒子２層で細密充填すれば、理論上は、表面は完全に覆い尽くされるので、理想系では、黒表示の反射率は０％となる。従って、黒粒子も白粒子も最低でも２層分は電気泳動材料２４に含まれているのが好ましい。黒粒子に関しては入射光を吸収すれば良いので、原理的には黒粒子２層分で黒表示となり得るが、第二表示に関しては、入射光が複数回の反射や散乱を繰り返して反射光として出射されねばならない。従って、第二顔料粒子２４２と透明微粒子２４３との層数の和（ＮW＋ＮP）は、ＮBよりも大きく、実験に依ると１０以上４０以下が好ましく、好適例としてはＮW＋ＮP＝２５程度であった。即ち、電気泳動表示装置１５０に最低限必要な第一顔料粒子２４１の層数ＮBと、最低限必要な第二顔料粒子２４２と透明微粒子２４３との層数の和（ＮW＋ＮP）とは、数式１８で表される。
【００９４】
【数１８】
0006035885.tif 000019
【００９５】
数式１５乃至１７と数式１８とは共に満たされる必要がある。数式１４を書き換えると、数式１９が得られる。
【００９６】
【数１９】
0006035885.tif 000020
【００９７】
数式１９を用いると、数式１８は数式２０と表現される。
【００９８】
【数２０】
0006035885.tif 000021
【００９９】
結局、纏めると優良な電気泳動材料２４とするには、好ましくは５％≦ＲW≦９９％、より好ましくは５％≦ＲW≦７５％、理想的には１０％≦ＲW≦５０％、とし、且つ数式１８と数式１９とを満たす様にＮBとＮWとＮPとを決定する。次に、この様にして得られたＮBとＮWとＮPとを数式１１から数式１３に代入して、ＷBやＷW、ＷPを定める。一例として、理想系で黒表示の反射率を０％とする為の黒粒子の最低量ＷBminを考えると、これは、ＮB＝２として数式２１となり、電気泳動材料２４の全体の重量に対する黒粒子重量の割合ＷBは、ＷBmin以上とされねばならない。
【０１００】
【数２１】
0006035885.tif 000022
【０１０１】
本実施形態では、ｒB＝ｒW＝０．１２５μｍ、ｒP＝０．２５μｍ、ｄ＝６０μｍ、ρB＝４．３ｇ／ｃｍ3、ρW＝４．２５ｇ／ｃｍ3、ρP＝２．２０ｇ／ｃｍ3、ρS＝０．７８ｇ／ｃｍ3である。ＲW＝０．２の際に、数式１９により、ＮP＝３．８６ＮWとなる。この関係を満たし、且つＮB＝２で数式１８を満たすには、ＮW≧２．０６で有るので、ＷBminに対する好適例として、ＮW＝２．０６、ＮP＝７．９６とする（ＮW＋ＮP＝１０．０２）。これらをｋ＝１．１として（添加剤は僅かとして）、数式１１から数式１３に適応すると、ＷB＝２．３ｗｔ％、ＷW＝２．３ｗｔ％、ＷP＝９．４ｗｔ％、となる。
【０１０２】
理想系では上述の通りだが、実際には、白粒子も黒粒子も電気泳動材料２４中にて粒子同士が凝集したり、或いは電気泳動材料２４を閉じ込める隔壁やマイクロカプセルなどに吸着されたりするので、ＮBやＮWの値は上述の最低値よりも大きい方が好ましい。実験によると、ＮBを４、５と増やすに従い黒表示の反射率が低下し、５以上は殆ど変わらなかった。従って、ＮBやＮWの好ましい範囲は４以上６以下であり、好適例としてはＮB＝ＮW＝５．５である。この際に、数式１９によりＮP＝２１．２５となり（従って、ＮW＋ＮP＝２６．７５）、ＷB＝５．３ｗｔ％、ＷW＝５．２ｗｔ％、ＷP＝２５．０ｗｔ％となる。従って、ＷW＋ＷP＝３０．２ｗｔ％となり、これが図３に示す簡易実験系での実験条件の根拠である。
【０１０３】
図４は、電気泳動表示装置が第二表示をした際に、第二顔料粒子の粒子数割合が第二表示に及ぼす効果を説明した図である。次に、図４を参照して、第二表示を綺麗に行う為に、第二顔料粒子２４２の層数と透明微粒子２４３の層数とをどの様な割合としたら良いかを説明する。
【０１０４】
ここまでは、透明微粒子２４３としてシリカビーズを用い、第二顔料粒子２４２と透明微粒子２４３との関係を重量割合ＲWを用いて説明してきたが、実際に第二表示の反射率に強く影響を及ぼすのは、電気泳動材料２４に含まれる第二顔料粒子２４２と透明微粒子２４３との総表面積の割合である。そこで、図４を参照して、図３に示した結果を、透明微粒子２４３をシリカビーズからその他の材料へと一般化して、総表面積の割合を用いて説明する。尚、図４では、電気泳動材料２４とした際に生ずる黒粒子とのカップリングの効果も勘案してある。まず数式６より、単位体積当たりの白粒子数は数式２２となる。
【０１０５】
【数２２】
0006035885.tif 000023
【０１０６】
数式２２から、第二顔料粒子２４２（白粒子）の総表面積と透明微粒子２４３（透明粒子）の総表面積との和に対する第二顔料粒子２４２（白粒子）の総表面積の割合ＲS（面積割合）は数式２３にて表される。
【０１０７】
【数２３】
0006035885.tif 000024
【０１０８】
数式２３に示される様に、面積割合ＲSは層数の割合に等しい。数式２３に数式１９を代入すると、数式２４が得られる。
【０１０９】
【数２４】
0006035885.tif 000025
【０１１０】
数式２４は重量割合ＲWから面積割合ＲSへの変換式である。数式２４を用いて、図３の横軸を変換したのが図４の横軸である。簡易実験系の白反射率と電気泳動表示装置１５０の第二表示との乖離は第二顔料粒子２４２の粒子数に比例するので、図３の縦軸をこれに則り変換したのが図４の縦軸である。こうして、図４は、電気泳動表示装置１５０の第二表示における反射率の面積割合ＲS依存性を示す事になる。図４から判る様に、面積割合ＲSが４％以上９６％以下ならば、白表示の反射率は４０％以上となり、従来の電気泳動表示装置よりも反射率が高くなる。又、面積割合ＲSが１０％以上５６％以下ならば、白表示の反射率は６０％以上となり、極めて明るい白表示が実現する。最適値はＲS＝２１％付近である。
【０１１１】
数式２３を書き換えると、数式２５が得られる。
【０１１２】
【数２５】
0006035885.tif 000026
【０１１３】
好ましい電気泳動材料２４の組成を纏めると、まず、適当なＮBとＮWとを定める。ＮBとＮWとの好ましい範囲は、前述の如く、４以上６以下である。次に、数式２５に則り、ＮPを定める。割合ＲSの好ましい範囲は４％以上９６％以下、より好ましくは１０％以上５６％以下である。こうして定まったＮBとＮWとＮPとを数式１１から数式１３に適応して、それぞれの粒子の重量割合を決定する。好適例として、透明粒子に粒径０．３μｍ（半径１５０ｎｍ）の架橋ポリメタクリル酸メチル（密度１．２ｇ／ｃｍ3）を用い、黒粒子に粒径０．２５μｍ（半径１２５ｎｍ）のチタンブラック（密度４．３ｇ／ｃｍ3）を用い、白粒子に粒径０．２５μｍ（半径１２５ｎｍ）の酸化チタン（密度４．２５ｇ／ｃｍ3）を用い、ＮB＝ＮW＝５．５とし、Ｒｓ＝０．２１とした場合（ＲW＝０．４４）、数式２５によりＮP＝２０．７（従って、ＮW＋ＮP＝２６．２）となり、ｋ＝１．１として（添加剤は僅かとして）、数式１１から数式１３により、ＷB＝６．０ｗｔ％、ＷW＝５．９ｗｔ％、ＷP＝７．９ｗｔ％、となる。この際に電気泳動表示装置１５０が白表示した場合の反射率は図４より７０．７％程度となる事が判る。尚、上記構成で透明粒子に粒径０．１μｍ（半径５０ｎｍ）の架橋ポリメタクリル酸メチル（密度１．２ｇ／ｃｍ3）を用いた場合には、ＮB＝ＮW＝５．５とし、Ｒｓ＝０．２１とした場合（ＲW＝０．７０）、数式２５によりＮP＝２０．９（従って、ＮW＋ＮP＝２６．４）となり、ｋ＝１．１として（添加剤は僅かとして）、数式１１から数式１３により、ＷB＝６．１ｗｔ％、ＷW＝６．０ｗｔ％、ＷP＝２．７ｗｔ％、にて、電気泳動表示装置１５０の白表示反射率は７０．７％程度となる。この様に透明微粒子２４３の粒径を小さくすると、透明微粒子２４３の重量を減らしても、高い表示品質と優れた電気泳動性を確保でき、好ましい。前述の如く透明微粒子２４３の粒径は５０ｎｍ以上１μｍ以下の範囲にある事が好ましいが、透明微粒子２４３の取り扱いが容易で、添加量も減らせるとの観点からは、ここに記した様に、透明微粒子２４３の粒径は０．１μｍ以上０．３μｍ以下の範囲にある事がより好ましい。
【０１１４】
「回路構成」
図５は、実施形態１に係わる電気泳動表示装置の回路図であり、（ａ）は全体構成を説明する図、（ｂ）は画素回路を説明する図である。次に、図５を用いて本実施形態に係わる電気泳動表示装置の駆動回路を説明する。
【０１１５】
図５（ａ）に示されている様に、表示領域１０には、ｍ行×ｎ列分の画素２０が行列状（二次元平面的）に配列されている。又、表示領域１０には、ｍ本の走査線３０（即ち、走査線Ｙ１、Ｙ２、…、Ｙｍ）と、ｎ本のデータ線４０（即ち、データ線Ｘ１、Ｘ２、…、Ｘｎ）とが互いに交差するように設けられている。具体的には、ｍ本の走査線３０は行方向（即ち、Ｘ方向）に延在し、ｎ本のデータ線４０は列方向（即ち、Ｙ方向）に延在している。ｍ本の走査線３０とｎ本のデータ線４０との交差点に対応して画素２０が配置されている。
【０１１６】
表示領域１０の外側には駆動回路７０が設けられている。駆動回路７０は、コントローラー７１や走査線駆動回路７２、データ線駆動回路７３、共通電位供給回路７４などから構成されている。コントローラー７１は走査線駆動回路７２やデータ線駆動回路７３、共通電位供給回路７４などの動作を制御し、クロック信号やタイミング信号等の各種信号を各回路に供給する。
【０１１７】
走査線駆動回路７２は、コントローラー７１から供給されるタイミング信号に基づいて、走査線Ｙ１、Ｙ２、…、Ｙｍの各々に走査信号をパルス的に順次供給する。データ線駆動回路７３は、コントローラー７１から供給されるタイミング信号に基づいて、データ線Ｘ１、Ｘ２、…、Ｘｎに画像信号を供給する。画像信号は、高電位ＶH（例えば１５Ｖ）と低電位ＶL（例えば−１５Ｖ）との間で多値的な電位をとる。尚、本実施形態では、画像信号は二値であり、第一表示（黒の表示）に書き換えられる画素電極２２に対して高電位ＶHの画像信号が供給され、第二表示（白の表示）に書き換えられる画素電極２２に対して低電位ＶLの画像信号が供給される。
【０１１８】
共通電位供給回路７４は、共通電位線５０に共通電位Ｖcomを供給する。尚、共通電位Ｖcomは一定の電位であっても良いし、例えば書き込む階調やフレームに応じて変えても良い。本実施形態では、共通電位Ｖcomが総ての電位に対する基準電位となり、共通電位を０Ｖとしている。従って、先の高電位ＶH（例えば１５Ｖ）や低電位ＶL（例えば−１５Ｖ）はそのまま共通電位Ｖcomに対する電位差ともなる。尚、コントローラー７１、走査線駆動回路７２、データ線駆動回路７３及び共通電位供給回路７４には、各種の信号が入出力されるが、本実施形態と特に関係のない物については説明を省略している。
【０１１９】
図５（ｂ）の回路図に示される様に、画素２０は、画素スイッチング用トランジスター２１と、画素電極２２と、共通電極２３と、電気泳動材料２４と、保持容量２５とを備えている。
【０１２０】
画素スイッチング用トランジスター２１は、例えばＮ型トランジスターで構成されている。ここでは、図２に示す様に、上ゲート型の薄膜トランジスターが採用されているが、下ゲート型の薄膜トランジスターで有っても構わない。画素スイッチング用トランジスター２１は、そのゲートが走査線３０に電気的に接続されており、そのソースがデータ線４０に電気的に接続されており、そのドレインが画素電極２２及び保持容量２５の一端に電気的に接続されている。保持容量２５は、誘電体膜を介して対向配置された一対の電極からなり、一方の電極（一端）が、画素電極２２及び画素スイッチング用トランジスター２１に電気的に接続され、他方の電極（他端）が共通電位線５０に電気的に接続されている。この保持容量２５によって画像信号を一定期間だけ維持することができる。画素スイッチング用トランジスター２１は、データ線駆動回路７３からデータ線４０を介して供給される画像信号を、走査線駆動回路７２から走査線３０を介してパルス的に供給される走査信号に応じたタイミングで、画素電極２２及び保持容量２５に出力する。
【０１２１】
画素電極２２には、データ線駆動回路７３からデータ線４０及び画素スイッチング用トランジスター２１を介して、画像信号が供給される。画素電極２２は、電気泳動材料２４を介して共通電極２３と互いに対向するように配置されている。共通電極２３は、共通電位Ｖcomが供給される共通電位線５０に電気的に接続されている。共通電極２３は、画素電極２２が形成された第一基板８０に対向する第二基板９０に設けられ、第一顔料粒子２４１と第二顔料粒子２４２とは、図２に示す断面図の上下方向で電気泳動する。尚、共通電極２３を画素電極２２が形成された第一基板８０に設けて、電気泳動粒子が図２の断面図の水平方向（図２の左右方向）に電気泳動する構成としても良い。
【０１２２】
「電子機器」
次に、前述した電気泳動表示装置を適用した電子機器について、図６及び図７を参照して説明する。以下では、前述した電気泳動表示装置１５０を電子ペーパー４００及び電子ノート５００に適用した場合を例にとる。
【０１２３】
図６は、電子ペーパーの構成を示す斜視図である。図６に示す様に、電子ペーパー４００は、本実施形態に係わる電気泳動表示装置１５０を備えている。電子ペーパー４００は可撓性を有し、従来の紙と同様の質感及び柔軟性を示す書き換え可能なシートから構成されている。
【０１２４】
図７は、電子ノートの構成を示す斜視図である。図７に示す様に、電子ノート５００は、図６で示した電子ペーパー４００が複数枚束ねられ、カバー５０１に挟まれているものである。カバー５０１は、例えば外部の装置から送られる表示データを入力する為の表示データ入力部を備える。これにより、その表示データに応じて、電子ペーパー４００が束ねられた状態のまま、表示内容の変更や更新を行うことができる。
【０１２５】
前述した電子ペーパー４００及び電子ノート５００は、本実施形態に係わる電気泳動表示装置１５０を備えるので、高品質な画像表示を行うことが可能である。尚、これらの他に、腕時計や携帯電話、携帯用オーディオ機器、電子タブレット端末、パーソナルコンピューター、電子看板、電子黒板などの電子機器に、本実施形態に係わる電気泳動表示装置１５０を適用する事ができる。
【０１２６】
以上述べた様に、本実施形態に係わる電気泳動材料２４とそれを適応した電気泳動表示装置１５０、及び電気泳動表示装置１５０を適応した電子機器に依れば、以下の効果を得る事ができる。
溶媒に分散した透明微粒子２４３が第二顔料粒子２４２の色の光を散乱させるので、電気泳動表示装置１５０で第二顔料粒子２４２の色を際立たせる事ができる。この結果、従来よりも第二顔料粒子２４２の量を減らしながらも、第二顔料粒子２４２の色を鮮やかに表示させる事ができる。第二顔料粒子２４２の量を減らせるので、第一顔料粒子２４１と第二顔料粒子２４２とのクーロンカップリングも減り、第二の色は鮮やかに表示され、コントラスト比も向上する事になる。更には、第二顔料粒子２４２の量を減らせるので、分散剤などの添加量も減り、電気泳動材料２４の粘度は上昇せず、高い電気泳動性を維持する事ができる。従って、この構成の電気泳動材料２４を用いた電気泳動表示装置１５０では、高品位表示（高コントラストや反射率の高い白表示）と優れた電気泳動性（低電圧駆動や高速応答）とを両立させる事ができる。
更に、高品位表示（高コントラストや反射率の高い白表示）と優れた電気泳動性（低電圧駆動や高速応答）とが容易に両立し、更に画像保持性に優れた電子機器１００を実現する事ができる。
【０１２７】
尚、顔料粒子の色に関しては、第一の色と第二の色との組み合わせは白黒に限らず、様々な組み合わせが可能である。例えば、色座標で正反対に位置する関係の色（相補的な色）の組み合わせとしても良い。具体的には赤色と緑色と青色との加法混色の三原色を第二の色とし、シアンとマゼンタとイエローとの減法混色の三原色を第一の色とし、互いに相補的な色を第一の色と第二の色との組み合わせとしても良い。即ち、加法混色の三原色を呈する顔料粒子を第二顔料粒子２４２とし、これら加法混色の三原色を吸収する減法混色の三原色を呈する顔料粒子を第一顔料粒子２４１としても良い。具体的には、第二の色を赤色とし、赤色を吸収するシアンを第一の色としたり、或いは、第二の色を緑色とし、緑色を吸収するマゼンタを第一の色としたり、或いは、第二の色を青色とし、青色を吸収するイエローを第一の色としたりしても良い。
【０１２８】
（実施形態２）
「透明微粒子が第二極性に帯電している形態」
図８は、実施形態２に係わる電気泳動表示装置を説明した断面図であり、（ａ）は第二表示を説明し、（ｂ）は第一表示を説明している。以下、本実施形態に係わる電気泳動材料２４と電気泳動表示装置１５０について説明する。尚、実施形態１と同一の構成部位については、同一の符号を附し、重複する説明は省略する。
【０１２９】
本実施形態（図８）は実施形態１（図２）と比べて、透明微粒子２４３が第二極性に帯電している点が異なっている。それ以外の構成は、実施形態１とほぼ同様である。実施形態１（図２）では、透明微粒子２４３は電気的に中性であった。これに対して本実施形態（図８）では、透明微粒子２４３が負（マイナス）に弱く帯電している。透明微粒子２４３が中性であると、電気泳動材料２４に印加される電界には無関係に、透明微粒子２４３は常に第一基板８０と第二基板９０との間で一様に分布している。従って、図２（ｂ）に示す様に、第一表示させた際に、共通電極２３側で、第一顔料粒子２４１に透明微粒子２４３が僅かに混在する事もあり得る。これにより、第一表示の彩度が落ちかねない恐れがある。これに対して、本実施形態では、図８（ａ）と（ｂ）とに示す様に、透明微粒子２４３もその空間分布が電界にて制御されるので、前述の恐れを排除する事ができる。この様に透明微粒子２４３は第二顔料粒子２４２と電気的に同じ極性に帯電していても良い。
【０１３０】
以上述べたように、本実施形態に係わる電気泳動材料２４と電気泳動表示装置１５０によれば、実施形態１での効果に加えて、以下の効果を得る事ができる。透明微粒子２４３の空間分布が御されるので、鮮やかな第一表示を実現する事ができる。
【０１３１】
（実施形態３）
「第二顔料粒子が中性である形態」
図９は、実施形態３に係わる電気泳動表示装置を説明した断面図であり、（ａ）は第二表示を説明し、（ｂ）は第一表示を説明している。以下、本実施形態に係わる電気泳動材料２４と電気泳動表示装置１５０について説明する。尚、実施形態１と同一の構成部位については、同一の符号を附し、重複する説明は省略する。
【０１３２】
本実施形態（図９）は実施形態１（図２）と比べて、第二顔料粒子２４２が電気的に中性である点が異なっている。それ以外の構成は、実施形態１とほぼ同様である。実施形態１（図２）では、第二顔料粒子２４２は第二極性に弱く帯電していた。これに対して本実施形態（図９）では、第二顔料粒子２４２は電気的に中性である。第二顔料粒子２４２と透明微粒子２４３が中性であると、電気泳動材料２４に印加される電界には無関係に、両者は常に第一基板８０と第二基板９０との間で一様に分布している。従って、図９（ａ）と（ｂ）とに示す様に、電気泳動して表示を変えるのは第一顔料粒子２４１である。第二顔料粒子２４２も透明微粒子２４３も中性であるので、第一顔料粒子２４１とこれらの粒子とがクーロンカップリングする事もなく、その為に、第二表示が極めて鮮やかになる。例えば、第二の色として白色を採用した場合、反射率は極めて高くなり、図３に示した反射率とほぼ同じ程度の反射率が得られる事になる。
【０１３３】
以上述べたように、本実施形態に係わる電気泳動材料２４と電気泳動表示装置１５０によれば、実施形態１での効果に加えて、以下の効果を得る事ができる。第二顔料粒子２４２が帯電していないので、鮮やかな第二表示を実現する事ができる。
【０１３４】
（実施形態４）
「第二顔料粒子が中性で、透明微粒子が第二極性に帯電している形態」
図１０は、実施形態４に係わる電気泳動表示装置を説明した断面図であり、（ａ）は第二表示を説明し、（ｂ）は第一表示を説明している。以下、本実施形態に係わる電気泳動材料２４と電気泳動表示装置１５０について説明する。尚、実施形態１と同一の構成部位については、同一の符号を附し、重複する説明は省略する。
【０１３５】
本実施形態（図１０）は実施形態１（図２）と比べて、第二顔料粒子２４２が電気的に中性であり、透明微粒子２４３が第二極性に弱く帯電している点が異なっている。それ以外の構成は、実施形態１とほぼ同様である。実施形態１（図２）では、第二顔料粒子２４２は第二極性に弱く帯電しており、透明微粒子２４３は電気的に中性であった。これに対して本実施形態（図１０）では、第二顔料粒子２４２は電気的に中性であり、透明微粒子２４３は第二極性に弱く帯電している。こうした場合でも、第一極性に帯電した第一顔料粒子２４１が電気泳動するので、正しく表示を行う事ができる。
【０１３６】
尚、本発明は上述した実施形態に限定されず、上述した実施形態に種々の変更や改良などを加えることが可能である。
【符号の説明】
【０１３７】
１０…表示領域、２０…画素、２２…画素電極、２３…共通電極、２４…電気泳動材料、６０…光、７０…駆動回路、８０…第一基板、９０…第二基板、１００…電子機器、１５０…電気泳動表示装置、２４１…第一顔料粒子、２４２…第二顔料粒子、２４３…透明微粒子。
【図１】
0006035885.tif 000027
【図２】
0006035885.tif 000028
【図３】
0006035885.tif 000029
【図４】
0006035885.tif 000030
【図５】
0006035885.tif 000031
【図６】
0006035885.tif 000032
【図７】
0006035885.tif 000033
【図８】
0006035885.tif 000034
【図９】
0006035885.tif 000035
【図１０】
0006035885.tif 000036